(57)【要約】  エレベータの天井装置は、天井部材と、天井部材に保持される照明装置とを備え、天井部材には、開口部が設けられ、照明装置は、開口部に挿入可能な筐体と、筐体の側面から突出する突出位置と突出位置よりも筐体側に位置する退避位置との間で移動可能な突出部材と、突出部材が突出位置へ移動する方向へ突出部材に力を与える弾性部材とを有し、筐体が開口部に挿入され、かつ突出部材の位置が突出位置である状態で、突出部材が天井部材に掛かることにより、照明装置が天井部材に保持される。
2020016956.tif 000002
【特許請求の範囲】
【請求項１】
天井部材と、
前記天井部材に保持される照明装置と、を備え、
前記天井部材には、開口部が設けられ、
前記照明装置は、前記開口部に挿入可能な筐体と、前記筐体の側面から突出する突出位置と突出位置よりも前記筐体側に位置する退避位置との間で移動可能な突出部材と、前記突出部材が突出位置へ移動する方向へ前記突出部材に力を与える弾性部材とを有し、
前記筐体が前記開口部に挿入され、かつ前記突出部材の位置が突出位置である状態で、前記突出部材が前記天井部材に掛かることにより、前記照明装置が前記天井部材に保持されるエレベータの天井装置。
【請求項２】
前記突出部材の端部には、傾斜部が設けられ、
前記突出部材が前記突出位置にあるときには前記筐体の前記側面から前記傾斜部までの長さが、前記突出部材の上方から下方へ連続的に大きくなっている請求項１に記載のエレベータの天井装置。
【請求項３】
前記天井部材には、前記開口部の内壁面に形成された挿入口を有する穴が設けられ、
前記突出部材は、前記筐体が前記開口部に挿入された状態で前記挿入口から前記穴に挿入可能になっている請求項１又は請求項２に記載のエレベータの天井装置。
【請求項４】
前記筐体は、前記開口部を通過可能になっている請求項１から３のいずれか一項に記載のエレベータの天井装置。
【請求項５】
前記天井部材及び前記筐体を繋ぐ繋ぎ部材を備え、
前記繋ぎ部材は、前記照明装置を吊り下げ可能になっている請求項１から４のいずれか一項に記載のエレベータの天井装置。
【請求項６】
前記開口部は、乗りかごの救出口である請求項１から５のいずれか一項に記載のエレベータの天井装置。
【請求項７】
請求項１から請求項６のいずれか一項に記載の天井装置を備えているエレベータのかご。
【発明の詳細な説明】
【技術分野】
【０００１】
本発明は、天井部材と、天井部材に保持される照明装置とを備えているエレベータの天井装置及びエレベータのかごに関する。
【背景技術】
【０００２】
従来、乗りかご内の意匠を変更する工事では、天井に取り付けられた照明装置の意匠も変更する場合がある。この場合、例えば特許文献１に示すように、天井に取り付けられた照明装置を、意匠の異なる照明装置に取り替える。
【先行技術文献】
【特許文献】
【０００３】
【特許文献１】特開２００４−１０２８０号公報
【発明の概要】
【発明が解決しようとする課題】
【０００４】
しかしながら、特許文献１のエレベータにおける照明装置の交換作業は、乗りかご内部からしか行うことができない。すなわち、特許文献１のエレベータにおける照明装置の交換作業は、脚立に上がって天井から古い照明装置を取り外し、古い照明装置を床に降ろした後に、新しい照明装置を持って再度脚立に上がり、新しい照明装置を天井に取り付ける、という手順で行われる。【０００５】
従って、作業者は、脚立の上で上を向いた姿勢で照明装置の取り外し作業及び取り付け作業を行わなければならず負担が大きかった。【０００６】
本発明は、上記のような課題を解決するためになされたものであり、照明装置の交換を行う作業者の負担を軽減することのできるエレベータの天井装置及びエレベータのかごを得るものである。
【課題を解決するための手段】
【０００７】
本発明に係るエレベータの天井装置は、天井部材と、天井部材に保持される照明装置とを備え、天井部材には、開口部が設けられ、照明装置は、開口部に挿入可能な筐体と、筐体の側面から突出する突出位置と突出位置よりも筐体側に位置する退避位置との間で移動可能な突出部材と、突出部材が突出位置へ移動する方向へ突出部材に力を与える弾性部材とを有し、筐体が開口部に挿入され、かつ突出部材の位置が突出位置である状態で、突出部材が天井部材に掛かることにより、照明装置が天井部材に保持される。
【発明の効果】
【０００８】
本発明によれば、上記構成により、照明装置の交換を行う作業者の負担を軽減することができるエレベータの天井装置を得ることができる。
【図面の簡単な説明】
【０００９】
【図１】本発明の実施の形態１におけるエレベータのかごを示す斜視図である。
【図２】図１の照明装置の筐体が、天井部材の下方から開口部に挿入されるときの保持機構の状態を示す要部断面図である。
【図３】照明装置の突出部材が筐体側に退避させられた状態を示す図である。
【図４】照明装置の突出部材が挿入口から穴の中に突出した状態を示す図である。
【図５】天井部材の開口部に取り付けられた照明装置を、乗りかごの上部から引き上げた状態を示す図である。
【図６】照明装置を天井部材の上方に取り出した状態を示す斜視図である。
【図７】天井部材の開口部に取り付けられた照明装置を、乗りかごの上部から治具を用いて取り外した状態を示す図である。
【図８】本発明の実施の形態１におけるエレベータの天井装置を構成する照明装置の第１変形例を示す図である。
【図９】本発明の実施の形態１におけるエレベータの天井装置を構成する照明装置の第２変形例を示す図である。
【発明を実施するための形態】
【００１０】
以下、本発明の実施の形態につき、図面を用いて説明する。
【００１１】
実施の形態１．
図１は、本発明の実施の形態１におけるエレベータのかごを示す斜視図である。
【００１２】
図１に示すように、エレベータの乗りかご１００は、かご本体１１０と、かご本体１１０の上部に設けられた天井装置１とを有する。かご本体１１０は、かご床１１１と、かご床１１１の周縁部に立てられた複数のかご壁１１２とを有する。かご本体１１０の上部には、複数のかご壁１１２の上部で囲まれた開放部が形成される。
【００１３】
天井装置１は、かご本体１１０の上部に固定された天井部材１０と、天井部材１０に保持される照明装置２０と、天井部材１０と照明装置２０とを繋ぐ繋ぎ部材４０とを有する。かご本体１１０の上部に形成された開放部は、天井部材１０によって塞がれる。なお、図１は、照明装置２０を天井部材１０から取り外した状態を示している。
【００１４】
天井部材１０は、天板１１と、天板１１の上面に固定された補強枠１２とを有する。天板１１の周縁部は、複数のかご壁１１２の上部に固定される。天井部材１０の中央部には、天板１１と補強枠１２とが重なる方向へ天井部材１０を貫通する開口部ＡＰが設けられる。補強枠１２は、開口部ＡＰの周囲に配置された複数の梁部材１２１を有する。複数の梁部材１２１によって、開口部ＡＰの内壁面１２ａが構成される。
【００１５】
この例では、開口部ＡＰの形状が矩形状になっている。また、この例では、緊急時に乗りかご１００内の乗客を外部へ救出するための救出口として開口部ＡＰが用いられる。開口部ＡＰの上方には、開口部ＡＰを開閉する図示しない蓋が取り付けられる。緊急時には、開口部ＡＰが開くことにより、乗りかご１００内から乗りかご１００外への乗客の救出が、開口部ＡＰを介して可能になる。緊急時としては、例えば乗りかご１００が着床位置以外の位置に停止してしまった場合が考えられる。
【００１６】
各梁部材１２１の、開口部ＡＰの内壁面１２ａを構成する部分には、それぞれ矩形状の挿入口１２ｂを有する穴１２ｃが設けられる。この例では、上下方向に沿った矩形状の断面を有するスリットが穴１２ｃとして各梁部材１２１に設けられる。また、この例では、穴１２ｃが梁部材１２１を貫通している。なお、各穴１２ｃは、貫通孔に限らず、窪み、上部が開放された切欠きなどであってもよい。また、挿入口１２ｂの形状は、矩形状に限るものではない。
【００１７】
照明装置２０は、図示しない発光体と、発光体を収容する筐体２１と、筐体２１に設けられた４つの保持機構３０と、筐体２１の下部に設けられた照明板２２とを有している。発光体は、乗りかご１００内を照らす光を発生する。発光体としては、蛍光灯、ＬＥＤなどが用いられる。
【００１８】
筐体２１は、開口部ＡＰに挿入可能になっている。この例では、筐体２１が開口部ＡＰを上下方向へ通過可能になっている。また、上から見たときの筐体２１の形状は、開口部ＡＰの形状に合わせた矩形状になっている。
【００１９】
保持機構３０は、筐体２１の４つの側面２１ａに１つずつ設けられている。各保持機構３０は、筐体２１が開口部ＡＰに挿入された状態で照明装置２０を天井部材１０に保持する。
【００２０】
照明板２２は、光を透過可能な光透過板である。照明板２２は、発光体の下方に配置される。これにより、照明装置２０が天井部材１０に保持されている状態では、発光体からの光が、照明板２２を通して乗りかご１００内に達する。この例では、発光体の光が照明板２２で拡散されて乗りかご１００内に達する。また、この例では、照明板２２が筐体２１の下部に着脱可能に取り付けられる。
【００２１】
繋ぎ部材４０の一端側は、天井部材１０の上部に着脱可能に取り付けられている。また、繋ぎ部材４０の他端側は、筐体２１に着脱可能に取り付けられている。このように、繋ぎ部材４０は、天井部材１０と筐体２１とを繋いでいる。照明装置２０は、繋ぎ部材４０によって天井部材１０から吊り下げることができる。これにより、照明装置２０の交換作業時に、照明装置２０がかご床１１１に落下することが防止できる。繋ぎ部材４０は、金属又はプラスチックで形成されたチェーン又はロープによって構成される。
【００２２】
図２は、図１の筐体２１が天井部材１０の下方から開口部ＡＰに挿入されるときの保持機構３０の状態を示す要部断面図である。
【００２３】
筐体２１は、筐体２１の側面２１ａを形成する４つの側板と、筐体２１の上面を形成する上板とを有している。４つの側板のそれぞれには、貫通孔２１ｂが保持機構３０の位置に合せて設けられている。
【００２４】
保持機構３０は、筐体２１内に固定された固定部材３３と、貫通孔２１ｂに通された突出部材３１と、固定部材３３と突出部材３１との間に配置された弾性部材としてのコイルばね３２とを有している。
【００２５】
突出部材３１は、側面２１ａから突出する突出位置と、突出位置よりも筐体２１側に位置する退避位置との間で移動可能となっている。
【００２６】
突出部材３１の両端部のうち、突出部材３１が突出位置にあるときに筐体２１の側面２１ａから突出する端部には、傾斜部３１ａと、掛かり部３１ｂとが設けられている。掛かり部３１ｂは、筐体２１の側面２１ａに直交する平面部である。掛かり部３１ｂは、突出部材３１の端部の下部を構成している。
【００２７】
突出部材３１が突出位置にあるときの傾斜部３１ａは、突出部材３１の上方から下方に向かって筐体２１の側面から離れる方向へ筐体２１の側面２１ａに対して傾斜している。これにより、突出部材３１が突出位置にあるときには、筐体２１の側面２１ａから傾斜部３１ａまでの長さが、突出部材３１の上方から下方へ連続的に大きくなっている。
【００２８】
突出部材３１は、筐体２１が開口部ＡＰに挿入された状態で挿入口１２ｂから穴１２ｃに挿入可能になっている。これにより、筐体２１が開口部ＡＰに挿入された状態では、突出部材３１が筐体２１に対して突出位置へ移動することにより、突出部材３１における傾斜部３１ａ側の端部が挿入口１２ｂから穴１２ｃに挿入される。
【００２９】
突出部材３１には、筐体２１内に配置されたばね受け３１ｃが固定されている。ばね受け３１ｃの上下方向の寸法は、貫通孔２１ｂの上下方向の寸法よりも大きくなっている。これにより、ばね受け３１ｃが貫通孔２１ｂを通過することが阻止される。保持機構３０では、筐体２１の側板がばね受け３１ｃを受けることにより、突出部材３１が筐体２１から外れることが防止される。突出部材３１は、筐体２１の側面２１ａがばね受け３１ｃを受けた状態で突出位置に保たれる。
【００３０】
コイルばね３２は、ばね受け３１ｃと固定部材３３との間で縮められている。これにより、コイルばね３２は、固定部材３３から突出部材３１が離れる方向へ突出部材３１に弾性復元力を与えている。即ち、コイルばね３２は、突出部材３１が突出位置へ移動する方向へ突出部材３１に力を与えている。突出部材３１は、コイルばね３２の弾性復元力に逆らって移動することにより突出位置から退避位置へ移動する。
【００３１】
なお、図１及び図２では、傾斜部３１ａ及び掛かり部３１ｂを平面で構成しているが、傾斜部３１ａ及び掛かり部３１ｂは、曲面で構成されてもよい。
【００３２】
このように構成される照明装置２０は、乗りかご１００の内側から筐体２１を開口部ＡＰに挿入することによって、天井部材１０に取り付けられる。
【００３３】
次に、図１から図４を用いて、照明装置２０を天井部材１０に取り付ける手順を説明する。
【００３４】
まず、図１に矢印Ａで示すように、乗りかご１００の内側から天井部材１０の開口部ＡＰに向かって下方から上方へ照明装置２０を持ち上げる。なお、照明装置２０は、繋ぎ部材４０を用いて、開口部ＡＰの上方、すなわち乗りかご１００の上部から引き上げてもよい。乗りかご１００の上部から引き上げる場合には、作業者が脚立に上がって照明装置２０を持ち上げる必要がないため、作業者の負担が軽減される。
【００３５】
次に、図２に矢印Ｂで示すように、筐体２１の側面２１ａを開口部ＡＰの内壁面１２ａに沿わせて、さらに上方へ筐体２１開口部ＡＰに挿入する。すると、突出部材３１の傾斜部３１ａが、開口部ＡＰの内壁面１２ａに突き当たる。
【００３６】
開口部ＡＰの内壁面１２ａに突き当てられた突出部材３１は、さらに引き上げられることにより、矢印Ｃで示すように、開口部ＡＰの内壁面１２ａによって筐体２１側に退避させられる。図３は、突出部材３１が筐体２１側に退避させられた状態を示している。図３の状態から、矢印Ｄで示すように、さらに上方へ筐体２１を挿入する。
【００３７】
さらに上方に筐体２１が挿入されると、図４に示すように、保持機構３０の突出部材３１が、内壁面１２ａに形成された挿入口１２ｂと対向する。すると、内壁面１２ａによって筐体２１の内側に押し込まれていた突出部材３１は、コイルばね３２の復元力によって、筐体２１の側面２１ａから突出する。そして、矢印Ｅで示すように、突出部材３１が挿入口１２ｂから穴１２ｃの中に挿入される。
【００３８】
穴１２ｃの中に挿入された突出部材３１は、掛かり部３１ｂが穴１２ｃ内で梁部材１２１に引っ掛かることによって、筐体２１が下方に移動することを規制する。その結果、筐体２１は、天井部材１０に保持される。以上により、照明装置２０が天井部材１０に取り付けられる。
【００３９】
次に、天井部材１０に取り付けられた照明装置２０を取り外す手順を、図５及び図６を用いて説明する。
【００４０】
図５に矢印Ｆで示すように、天井部材１０に取り付けられた照明装置２０を、乗りかご１００の上部から引き上げる。すると、突出部材３１の傾斜部３１ａが開口部ＡＰの内壁面１２ａに突き当たり、矢印Ｇで示すように、突出部材３１が筐体２１側に退避させられる。
【００４１】
図６に矢印Ｈで示すように、さらに照明装置２０を引き上げると、照明装置２０は開口部ＡＰを通過して乗りかご１００の上方に取り出される。これにより、照明装置２０は乗りかご１００の天井部材１０から取り外される。開口部ＡＰが救出口を兼ねている場合には、このように照明装置２０を乗りかご１００の上部に引き上げることによって、救出口を迅速に開放することができる。
【００４２】
以上のように、実施の形態１のエレベータの天井装置１は、開口部ＡＰが設けられた天井部材１０と、天井部材１０に保持される照明装置２０とを備える。また、照明装置２０は、開口部ＡＰに挿入可能な筐体２１と、筐体２１に設けられた保持機構３０とを有する。保持機構３０は、筐体２１の側面２１ａから突出する突出位置と突出位置よりも筐体２１側に位置する退避位置との間で移動可能な突出部材３１と、突出部材３１が突出位置へ移動する方向へ突出部材３１に力を与えるコイルばね３２とを有する。そして、筐体２１が開口部ＡＰに挿入されかつ突出部材３１の位置が突出位置である状態で、突出部材３１が天井部材１０に掛かることにより、照明装置２０が天井部材１０に保持される。
【００４３】
また、突出部材３１の一端側の端部に傾斜部３１ａが設けられる。そして、突出部材３１が突出位置にあるときには筐体２１の側面２１ａから傾斜部３１ａまでの長さが、突出部材３１の上方から下方へ連続的に大きくなっている。傾斜部３１ａの下方には、水平方向に延びる掛かり部３１ｂが形成される。
【００４４】
さらに、天井部材１０には、開口部ＡＰの内壁面に形成された挿入口１２ｂを有する穴１２ｃが設けられ、突出部材３１は、筐体２１が開口部ＡＰに挿入された状態で挿入口１２ｂから穴１２ｃに挿入可能になっている。そして、突出部材３１が穴１２ｃに挿入されて掛かり部３１ｂが天井部材１０に掛けられることによって、照明装置２０は天井部材１０に保持される。また、筐体２１は、開口部ＡＰを通過可能になっている。
【００４５】
このように構成される実施の形態１の天井装置１によれば、照明装置２０の筐体２１を天井部材１０に形成された開口部ＡＰの下方から開口部ＡＰに挿入するだけで、照明装置２０を天井部材１０に取り付けることができる。さらに、照明装置２０を開口部ＡＰの上方に引き上げることによって天井部材１０から取り外すことができる。
【００４６】
これにより、天井装置１の照明装置２０を交換する作業が簡略化されて作業時間が短縮される。よって、照明装置２０を交換する作業者の負担を軽減することができる。
【００４７】
なお、実施の形態１では、開口部ＡＰの形状を矩形状としたが、開口部ＡＰの形状は、多角形、円形などであってもよい。
【００４８】
また、実施の形態１では、照明装置２０を開口部ＡＰの上方に引き上げることによって天井部材１０から取り外したが、照明装置２０を天井部材１０から取り外す方法は、これに限るものではない。例えば、照明装置２０を乗りかご１００の内側から開口部ＡＰの上方に押し上げることによって、開口部ＡＰの上方に取り出してもよい。
【００４９】
さらに、実施の形態１では、照明装置２０を開口部ＡＰの上方に取り出したが、照明装置２０は、開口部ＡＰの下方に取り出してもよい。照明装置２０を乗りかご１００の内側に取り出した場合には、乗りかご１００内の乗客を救出口から救出する際に、照明装置２０を踏み台として使用することができる。
【００５０】
この場合、図７に矢印Ｊで示すように、開口部ＡＰの上方から、筐体２１の側面２１ａと天井部材１０の内壁面１２ａとの間に治具６０を挿入する。そして、突出部材３１の傾斜部３１ａを上方から押して、矢印Ｋで示すように突出部材３１を筐体２１の内側に押し込む。これにより、天井部材１０に取り付けられた照明装置２０を開口部ＡＰの下方に取り出すことができる。なお、この場合、照明装置２０がかご床１１１に落下しないように、繋ぎ部材４０によって照明装置２０を吊りながら取り外すとよい。
【００５１】
また、実施の形態１では、突出部材３１を穴１２ｃに挿入して、照明装置２０を天井部材１０に保持する構成としたが、突出部材３１の掛かり部３１ｂを掛ける部分は、これに限るものではない。
【００５２】
例えば、図８に示す第１変形例の照明装置２０Ａのように、保持機構３０を筐体２１の上方に配置して、突出部材３１の掛かり部３１ｂを掛ける部分を、開口部ＡＰを構成する梁部材１２１の上面にしてもよい。この場合、梁部材１２１に穴１２ｃを形成する必要がなくなり、作業工数が削減される。
【００５３】
さらに、図８に示す第１変形例の照明装置２０Ａのように、天井部材１０に照明装置２０Ａが保持された状態において、突出部材３１の周囲に手が入るスペースがある場合には、治具６０を用いることなく、突出部材３１を筐体２１の内側に押し込むことができる。これにより、天井部材１０の上方から、容易に照明装置２０を開口部ＡＰの下方に取り出すことができる。なお、この場合も、照明装置２０がかご床１１１に落下しないように、繋ぎ部材４０によって照明装置２０を吊りながら取り外すとよい。
【００５４】
また、開口部ＡＰの、水平面内における縦横方向の寸法を、他のエレベータの天井部材との間で共通化するとよい。さらに、照明装置２０の、開口部ＡＰに挿入される部分の筐体２１の水平面内における縦横方向の寸法を、他の照明装置の筐体と共通にするとよい。そして、照明装置２０を交換する場合の配線作業は、電源用のコネクタの差し替えのみとなるように構成するとよい。
【００５５】
これにより、天井部材１０を構成する天板を交換することなく、照明板２２の形状、発光体の種類、発光体の配置が異なる他の照明装置に交換するだけで、照明装置２０の意匠を容易に変更することができる。また、照明装置２０の交換に伴う配線作業が削減され、照明装置２０の交換作業の工数がさらに削減される。
【００５６】
また、開口部ＡＰに挿入される部分の筐体２１の高さ方向の寸法が異なる照明装置２０に交換することによって、乗りかご１００内の照度を容易に変更することができる。なお、保持機構３０を筐体２１の高さ方向に複数設けることによって、同一の照明装置２０において乗りかご１００内の照度を変更可能としてもよい。
【００５７】
なお、実施の形態１では、照明装置２０は、開口部ＡＰを通過して天井部材１０の上方に取り出すことが可能な形状に形成されていたが、照明装置２０の形状はこれに限るものではない。例えば、図９に示す第２変形例の照明装置２０Ｂのように、筐体２１Ｂの、開口部ＡＰに挿入される部分より下方の部分の水平面内における縦横方向の寸法を、開口部ＡＰの縦横方向の寸法よりも大きくしてもよい。
【００５８】
さらに、照明板２２は、図９に示す照明板２２Ｂのように、筐体２１Ｂの下部を覆うように構成してもよい。照明装置２０をより大きな照明装置２０Ｂに交換することにより、乗りかご１００内の照度を容易に変更することができると共に、照明装置２０の意匠を大幅に変更することができる。
【００５９】
また、実施の形態１では、保持機構３０を筐体２１の４つの側面２１ａにそれぞれ１つずつ配置していたが、保持機構３０の数及び配置は適宜変更可能である。さらに、実施の形態１の天井装置１は、繋ぎ部材４０を備えていたが、天井装置１は、繋ぎ部材４０を備えていなくてもよい。
【符号の説明】
【００６０】
１  天井装置、１０  天井部材、１１  天板、１２  補強枠、１２１  梁部材、１２ａ  内壁面、１２ｂ  挿入口、１２ｃ  穴、２０，２０Ａ，２０Ｂ  照明装置、２１，２１Ｂ  筐体、２１ａ  側面、２１ｂ  貫通孔、２２，２２Ｂ  照明板、３０  保持機構、３１  突出部材、３１ａ  傾斜部、３１ｂ  掛かり部、３１ｃ  ばね受け、３２  コイルばね（弾性部材）、３３  固定部材、４０  繋ぎ部材、６０  治具、１００  乗りかご、１１０  かご本体、１１１  かご床、１１２  かご壁、ＡＰ  開口部。
【図１】
2020016956.tif 000003
【図２】
2020016956.tif 000004
【図３】
2020016956.tif 000005
【図４】
2020016956.tif 000006
【図５】
2020016956.tif 000007
【図６】
2020016956.tif 000008
【図７】
2020016956.tif 000009
【図８】
2020016956.tif 000010
【図９】
2020016956.tif 000011
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
天井部材と、
前記天井部材に保持される照明装置と、を備え、
前記天井部材には、開口部が設けられ、
前記照明装置は、前記開口部に挿入可能な筐体と、
前記筐体の側面から突出する突出位置と突出位置よりも前記筐体側に位置する退避位置との間で移動可能な突出部材と、
前記突出部材が突出位置へ移動する方向へ前記突出部材に力を与える弾性部材とを有し、
前記筐体が前記開口部に挿入され、かつ前記突出部材の位置が突出位置である状態で、前記突出部材が前記天井部材に掛かることにより、前記照明装置が前記天井部材に保持され、
前記照明装置は、前記開口部の上方に引き出し可能であるエレベータの天井装置。
【請求項２】
天井部材と、
前記天井部材に保持される照明装置と、を備え、
前記天井部材には、開口部が設けられ、
前記照明装置は、前記開口部に挿入可能な筐体と、
前記筐体の側面から突出する突出位置と突出位置よりも前記筐体側に位置する退避位置との間で移動可能な突出部材と、
前記突出部材が突出位置へ移動する方向へ前記突出部材に力を与える弾性部材と、
一端側が前記天井部材の上部に取り付けられ、他端側が前記筐体に取り付けられている繋ぎ部材とを有し、
前記筐体が前記開口部に挿入され、かつ前記突出部材の位置が突出位置である状態で、前記突出部材が前記天井部材に掛かることにより、前記照明装置が前記天井部材に保持され、
前記繋ぎ部材は、前記照明装置を吊り下げ可能になっているエレベータの天井装置。
【請求項３】
前記繋ぎ部材は、チェーン又はロープである請求項２に記載のエレベータの天井装置。
【請求項４】
前記突出部材の端部には、傾斜部が設けられ、
前記突出部材が前記突出位置にあるときには前記筐体の前記側面から前記傾斜部までの長さが、前記突出部材の上方から下方へ連続的に大きくなっている請求項１から３のいずれか一項に記載のエレベータの天井装置。
【請求項５】
前記天井部材には、前記開口部の内壁面に形成された挿入口を有する穴が設けられ、
前記突出部材は、前記筐体が前記開口部に挿入された状態で前記挿入口から前記穴に挿入可能になっている請求項１から４のいずれか一項に記載のエレベータの天井装置。
【請求項６】
前記開口部は、乗りかごの救出口である請求項１から５のいずれか一項に記載のエレベータの天井装置。
【請求項７】
請求項１から請求項６のいずれか一項に記載の天井装置を備えているエレベータのかご。
【国際調査報告】
2020016956.tif 000012
2020016956.tif 000013
2020016956.tif 000014
2020016956.tif 000015